(57)【要約】  共通処理を実施する方法、装置及びシステムが提供される。この方法は、基地局が第１要求メッセージをＣＮ装置に送信することを含む。第１要求メッセージは、第１インタフェースの確立を要求するために使用される。第１インタフェースは、基地局が属する無線アクセスネットワーク（ＲＡＮ）とＣＮとの間のインタフェースである。第１要求メッセージは、ＵＥをページングするために構成された特定の地理的エリアのロケーションエリア情報、基地局がサポートする公共陸上移動体通信ネットワーク（ＰＬＭＮ）の情報、及び基地局の基地局タイプ情報のうちの少なくとも１つを搬送する。方法は、ＣＮデバイスが送信した第１応答メッセージを基地局が受信することを含む。第１応答メッセージは、第１インタフェースが正常に確立されたことを示すために使用される。【選択図】図３
2019526209.tif 000002
【特許請求の範囲】
【請求項１】
共通処理を実施する方法であって、
前記方法は、基地局によって、第１要求メッセージをコアネットワーク（ＣＮ）デバイスに送信することを含み、
前記第１要求メッセージは、前記基地局が属する無線アクセスネットワーク（ＲＡＮ）とＣＮとの間の第１インタフェースの確立を要求するために使用され、
前記第１要求メッセージは、ロケーションエリア情報、前記基地局がサポートする公共陸上移動体通信ネットワーク（ＰＬＭＮ）の情報、及び前記基地局の基地局タイプ情報のうちの少なくとも１つを搬送し、
前記ロケーションエリア情報は、ユーザ機器（ＵＥ）をページングするように構成された特定の地理的エリアを指し、
前記方法は、前記ＣＮデバイスが送信した第１応答メッセージを、前記基地局によって受信することを含み、
前記第１応答メッセージは、前記第１インタフェースが正常に確立されたことを示すために使用される、
方法。
【請求項２】
請求項１において、
前記第１応答メッセージは、前記ＣＮの構成情報、前記ＣＮがサポートするネットワークスライスの情報、及び前記ＣＮ内の各タイプのスライスグループの許容負荷容量情報のうちの少なくとも１つを搬送し、
前記ＵＥは、前記ネットワークスライスの許容負荷容量情報に従って前記ＣＮ内のネットワークスライスを選択し、前記ネットワークスライスの許容負荷容量情報を前記ＵＥのテキストコンテンツの構成要素として使用する、
方法。
【請求項３】
請求項２において、前記ＣＮの構成情報は、ＣＮセット識別子、ＣＮデバイスの番号、ＰＬＭＮ情報、及びＣＮクラウドセット識別情報うちの少なくとも１つを含む方法。
【請求項４】
請求項１において、前記ＣＮデバイスが送信した第１応答メッセージを、前記基地局によって受信した後に、
前記方法は、前記基地局によって、前記ＣＮデバイスに第１更新メッセージを送信することを更に含み、
前記第１更新メッセージは、前記ＣＮデバイスに前記基地局の構成情報を更新するように命令するために使用され、
前記方法は、前記第１更新メッセージに対する、前記ＣＮデバイスが送信する第１確認メッセージを、前記基地局によって受信することを更に含む、
方法。
【請求項５】
請求項４において、前記第１更新メッセージは、前記ロケーションエリア情報およびＰＬＭＮ情報のうちの少なくとも１つを搬送する、方法。
【請求項６】
請求項１において、前記ＣＮデバイスが送信した第１応答メッセージを、前記基地局によって受信した後に、
前記方法は、前記ＣＮデバイスが送信した過負荷開始メッセージ又は過負荷停止メッセージを、前記基地局によって受信することを更に含み、
前記過負荷開始メッセージは、前記ＣＮが過負荷であることを示すために使用され、
前記過負荷停止メッセージは、過負荷動作が停止されることを示すために使用される、
方法。
【請求項７】
請求項６において、前記過負荷開始メッセージは、前記ＣＮのスライスが過負荷であること、又は指定されたＰＬＭＮの配下のＣＮのスライスが過負荷であることを示すためのスライス過負荷メッセージを搬送する、方法。
【請求項８】
請求項６において、
前記ＣＮが送信し、前記基地局が受信する過負荷開始メッセージは、過負荷制御動作情報を含み、
前記過負荷制御動作情報は、アクセスを拒否するＣＮのスライスを示すための拒否情報を含む、
方法。
【請求項９】
請求項１乃至８のいずれか一項において、前記方法は、５Ｇシステム及び拡張ロングタームエボリューション（ｅＬＴＥ）システムのうちの１つの移動体通信システムに適用される、方法。
【請求項１０】
共通処理を実施する方法であって、
前記方法は、基地局が送信した第１要求メッセージを、コアネットワーク（ＣＮ）デバイスによって受信することを含み、
前記第１要求メッセージは、前記基地局が属する無線アクセスネットワーク（ＲＡＮ）とＣＮとの間の第１インタフェースの確立を要求するために使用され、
前記第１要求メッセージは、ロケーションエリア情報、前記基地局がサポートする公共陸上移動体通信ネットワーク（ＰＬＭＮ）の情報、及び前記基地局の基地局タイプ情報のうちの少なくとも１つを搬送し、
前記ロケーションエリア情報は、ユーザ機器（ＵＥ）をページングするように構成された特定の地理的エリアを指し、
前記方法は、前記ＣＮデバイスによって、第１応答メッセージを前記基地局に送信することを含み、
前記第１応答メッセージは、前記第１インタフェースが正常に確立されたことを示すために使用される、
方法。
【請求項１１】
請求項１０において、前記基地局が送信した第１要求メッセージを、前記ＣＮデバイスによって受信した後に、
前記方法は、前記ＵＥが送信した第１命令情報を、前記ＣＮデバイスによって受信することを更に含み、
前記第１命令情報は、前記ＵＥのためのトラフィックパターンを選択するようにＣＮデバイスに命令するために使用される、
方法。
【請求項１２】
請求項１０において、
前記第１応答メッセージは、前記ＣＮの構成情報、前記ＣＮがサポートするネットワークスライスの情報、及び前記ＣＮ内の各タイプのスライスグループの許容負荷容量情報のうちの少なくとも１つを搬送し、
前記ＵＥは、前記ネットワークスライスの許容負荷容量情報に従って前記ＣＮ内のネットワークスライスを選択し、前記ネットワークスライスの許容負荷容量情報を前記ＵＥのテキストコンテンツの構成要素として使用する、
方法。
【請求項１３】
請求項１２において、前記ＣＮの構成情報は、ＣＮセット識別子、ＣＮデバイスの番号、ＰＬＭＮ情報、及びＣＮクラウドセット識別情報のうちの少なくとも１つを含む、方法。
【請求項１４】
請求項１０において、前記ＣＮデバイスによって前記第１応答メッセージを前記基地局に送信した後に、
前記方法は、前記ＣＮデバイスによって、第２更新メッセージを前記基地局に送信することを更に含み、
前記第２更新メッセージは、前記ＣＮデバイスの構成情報を更新するように前記基地局に命令するために使用され、
前記方法は、前記ＣＮデバイスによって、前記基地局が送信した前記第２更新メッセージについての第２確認メッセージを受信することを更に含む、
方法。
【請求項１５】
請求項１４において、
前記第２更新メッセージは、前記ＣＮの構成情報、前記ＣＮがサポートするネットワークスライスの情報、及び前記ＣＮ内の各タイプのスライスグループの許容負荷容量情報のうちの少なくとも１つを搬送し、
前記構成情報は、ＣＮセット識別子、ＣＮデバイスの番号、ＰＬＭＮ情報、及びＣＮクラウドセット識別情報のうちの少なくとも１つを含み、
前記ＵＥは、各ネットワークスライスの許容負荷容量情報に従って前記ＣＮ内のネットワークスライスを選択し、前記ネットワークスライスの許容負荷容量情報を前記ＵＥのテキストコンテンツの構成要素として使用する、
方法。
【請求項１６】
請求項１０において、前記ＣＮデバイスによって、前記第１応答メッセージを前記基地局に送信した後に、
前記方法は、前記ＣＮデバイスによって、過負荷開始メッセージ又は過負荷停止メッセージを前記基地局に送信することを更に含み、
前記過負荷開始メッセージは、前記ＣＮが過負荷であることを示すために使用され、
前記過負荷停止メッセージは、過負荷動作が停止されることを示すために使用される、
方法。
【請求項１７】
請求項１６において、前記過負荷開始メッセージは、前記ＣＮのスライスが過負荷であること、又は指定されたＰＬＭＮの配下のＣＮのスライスが過負荷であることを示すためのスライス過負荷メッセージを搬送する、方法。
【請求項１８】
請求項１６において、
前記ＣＮデバイスによって前記基地局に送信される前記過負荷開始メッセージは、過負荷制御動作情報を含み、
前記過負荷制御動作情報は、アクセスを拒否するＣＮのスライスを示すための拒否情報を含む、
方法。
【請求項１９】
請求項１０乃至１８のいずれか一項において、前記方法は、５Ｇシステム及び拡張ロングタームエボリューション（ｅＬＴＥ）システムのうちの１つの移動体通信システムに適用される、方法。
【請求項２０】
基地局に適用される共通処理を実施する装置であって、
前記装置は、ＣＮデバイスに第１要求メッセージを送信するように構成された第１送信モジュールを備え、
前記第１要求メッセージは、前記基地局が属するＲＡＮとＣＮとの間の第１インタフェースの確立を要求するために使用され、
前記第１要求メッセージは、ロケーションエリア情報、前記基地局がサポートするＰＬＭＮの情報、及び前記基地局の基地局タイプ情報のうちの少なくとも１つを搬送し、
前記ロケーションエリア情報は、ＵＥをページングするように構成された特定の地理的エリアを指し、
前記装置は、前記ＣＮデバイスが送信した第１応答メッセージを受信するように構成された第１受信モジュールを備え、
前記第１応答メッセージは、前記第１インタフェースが正常に確立されたことを示すために使用される、
装置。
【請求項２１】
コアネットワークデバイスに適用される共通処理を実施する装置であって、
前記装置は、基地局が送信した第１要求メッセージを受信するように構成された第２受信モジュールを備え、
前記第１要求メッセージは、前記基地局が属するＲＡＮとＣＮとの間の第１インタフェースの確立を要求するために使用され、
前記第１要求メッセージは、ロケーションエリア情報、前記基地局がサポートするＰＬＭＮの情報、及び前記基地局の基地局タイプ情報のうちの少なくとも１つを搬送し、
前記ロケーションエリア情報は、ＵＥをページングするように構成された特定の地理的エリアを指し、
前記装置は、第１応答メッセージを前記基地局に送信するように構成されている第２送信モジュールを備え、
前記第１応答メッセージは、前記第１インタフェースが正常に確立されたことを示すために使用される、
装置。
【請求項２２】
基地局とＣＮデバイスとを備え、共通処理を実施するシステムであって、
前記基地局は、第１要求メッセージを前記ＣＮデバイスに送信し、
前記第１要求メッセージは、前記基地局が属する無線アクセスネットワークとＣＮとの間の第１インタフェースの確立を要求するために使用され、
前記第１要求メッセージは、ロケーションエリア情報、前記基地局がサポートするＰＬＭＮの情報、及び前記基地局の基地局タイプ情報のうちの少なくとも１つを搬送し、
前記ロケーションエリア情報は、ＵＥをページングするように構成された特定の地理的エリアを指し、
前記ＣＮデバイスは、前記第１要求メッセージを受信し、第１応答メッセージを前記基地局に送信し、
前記第１応答メッセージは、前記第１インタフェースが正常に確立されたことを示すために使用され、
前記基地局は、前記ＣＮデバイスが送信した第１応答メッセージを受信する、
システム。
【請求項２３】
請求項２２において、
前記第１応答メッセージは、前記ＣＮの構成情報、前記ＣＮがサポートするネットワークスライスの情報、及び前記ＣＮ内の各タイプのスライスグループの許容負荷容量情報のうちの少なくとも１つを搬送し、
前記ＵＥは、前記ネットワークスライスの許容負荷容量情報に従って前記ＣＮ内のネットワークスライスを選択し、前記負荷容量情報を前記ＵＥのテキストコンテンツとして使用する、
システム。
【請求項２４】
請求項２３において、前記ＣＮの構成情報は、ＣＮセット識別子、ＣＮデバイスの番号、ＰＬＭＮ情報、及びＣＮクラウドセット識別情報のうちの少なくとも１つを含む、システム。
【請求項２５】
請求項２２乃至２４のいずれか一項において、５Ｇシステム又は拡張ロングタームエボリューション（ｅＬＴＥ）システムに適用される、システム。
【請求項２６】
共通処理を実施する方法であって、
前記方法は、第１基地局によって、第２要求メッセージを第２基地局に送信することを含み、
前記第２要求メッセージは、前記第１基地局と前記第２基地局との間の第２インタフェースの確立を要求するために使用され、
前記第２要求メッセージは、前記第１基地局の配下のセル、ビーム構成情報、前記第１基地局がサポートする公共陸上移動体通信ネットワーク（ＰＬＭＮ）の情報、無線アクセスネットワーク（ＲＡＮ）アーキテクチャ情報、及び前記第１基地局に接続されたコアネットワーク（ＣＮ）の情報のうちの少なくとも１つを搬送し、
前記ＣＮの情報は、ＣＮセット情報、ＣＮクラウドセット識別情報、及び前記第１基地局の基地局タイプ情報のうちの少なくとも１つを含み、
前記方法は、前記第１基地局によって、前記第２基地局が送信した第２応答メッセージを受信することを含み、
前記第２応答メッセージは、前記第２インタフェースが正常に確立されたことを示すために使用される、
方法。
【請求項２７】
請求項２６において、前記ＲＡＮアーキテクチャ情報が集中型ネットワークアーキテクチャを示す場合、前記ＲＡＮアーキテクチャ情報は、無線中央ユニット（ＣＵ）−無線分散ユニット（ＤＵ）の階層化モード情報を含む、方法。
【請求項２８】
請求項２６において、前記第２基地局が送信した第２応答メッセージを、前記第１基地局によって受信した後、
前記方法は、前記第１基地局によって、第３更新メッセージを前記第２基地局に送信することを更に含み、
前記第３更新メッセージは、前記第１基地局の構成情報を更新するように前記第２基地局に命令するために使用され、
前記方法は、前記第３更新メッセージに対する、前記第２基地局が送信する第３確認メッセージを、前記第１基地局によって受信することを更に含む、
方法。
【請求項２９】
請求項２８において、前記第３更新メッセージは、前記第１基地局が更新された後の前記第１基地局の配下のセル、前記第１基地局が更新された後のビーム構成情報、前記第１基地局のＲＡＮアーキテクチャ情報、前記第１基地局に接続されているＣＮの情報、及び前記第１基地局の基地局タイプ情報のうちの少なくとも１つを搬送する、方法。
【請求項３０】
請求項２６乃至２９のいずれか一項において、５Ｇシステム又は拡張ロングタームエボリューション（ｅＬＴＥ）システムに適用される、方法。
【請求項３１】
第１基地局に適用される共通処理を実施する装置であって、
前記装置は、第２要求メッセージを第２基地局に送信するように構成された第３送信モジュールを備え、
前記第２要求メッセージは、前記第１基地局と前記第２基地局との間の第２インタフェースの確立を要求するために使用され、
前記第２要求メッセージは、前記基地局の配下のセル、ビーム構成情報、前記第１基地局がサポートするＰＬＭＮの情報、ＲＡＮアーキテクチャ情報、及び前記基地局に接続されたＣＮの情報のうちの少なくとも１つを搬送し、
前記ＣＮの情報は、ＣＮセット情報、ＣＮクラウドセット識別情報、及び前記第１基地局の基地局タイプ情報のうちの少なくとも１つを含み、
前記装置は、前記第２基地局が送信した第２応答メッセージを受信するように構成された第３受信モジュールを備え、
前記第２応答メッセージは、前記第２インタフェースが正常に確立されたことを示すために使用される、
装置。
【請求項３２】
請求項１乃至９、請求項１０乃至１９、及び請求項２６乃至３０のいずれか一項に記載の方法を実行するためのコンピュータ実行可能命令を格納するコンピュータ可読記憶媒体。
【発明の詳細な説明】
【技術分野】
【０００１】
本開示は、通信の分野に関し、例えば、共通処理（common process）を実施するための方法、装置、及びシステムに関する。
【背景技術】
【０００２】
無線通信技術とプロトコル規格の継続的な進化と共に、モバイルパケットサービスは、著しい発展を遂げ、単一端末のデータスループット能力も継続的に向上している。一例として、ロングタームエボリューション（Long Term Evolution：ＬＴＥ）システムは、１００Ｍｂｐｓの最大ダウンリンクレートでのデータ送信を２０Ｍの帯域幅でサポートできる。これに続く拡張ＬＴＥシステム及び更にこれに続く第５世代携帯電話通信規格を伴う第５世代（５Ｇ）移動体通信技術システムでは、データ伝送速度は更に高まり、数十Ｇｂｐｓに達する。５Ｇ技術の特徴は、シームレスな広域カバレッジ、大容量のホットスポット、低消費電力での多数の接続、低遅延での高い信頼性を含む。第３世代パートナーシッププロジェクト（3rd Generation Partnership Project：３ＧＰＰ）によってリリースされた、次世代無線アクセスネットワーク（radio access network：ＲＡＮ）のリリース１４の設計目標の１つは、単一の技術アーキテクチャを使用して、拡張モバイルブロードバンド（enhanced mobile broadband：ｅＭＢＢ）、大規模マシンタイプ通信（massive machine type communication：ｍＭＴＣ）、超高信頼性低遅延通信（ultra reliable and low latency communication：ＵＲＬＬＣ）等の複数のタイプのトラフィックをサポートすることである。上記の目的を達成するために、５Ｇニューラット（New Rat：ＮＲ）のユーザプレーンアーキテクチャの設計は、十分に柔軟である必要がある。
【０００３】
近年、ベースバンドユニット（baseband unit：ＢＢＵ）及び無線リモートユニット（radio remote unit：ＲＲＵ）の集中型の協調的なクラウドアンドクリーン無線アクセスネットワーク（cloud & clean - radio access network：Ｃ−ＲＡＮ）のネットワーク配置が、世界中の多くの国及び地域で広く適用されている。多様化する基盤アクセス技術を遮蔽し、トラフィック指向のアクセスをサポートするために、５Ｇアクセスネットワークの無線アクセスネットワーク（ＲＡＮ）は、無線中央ユニット（center unit：ＣＵ）及び無線分散ユニット（distributed unit：ＤＵ）を含む２レベルのネットワーク機能アーキテクチャ（ＬＴＥにおけるＢＢＵ＋ＲＲＵのアーキテクチャに類似するもの）を含む。図１は、従来技術による、ＣＵとＤＵとが同一のネットワークデバイスに配置されたネットワークアーキテクチャを示す図である。図１において、「コア」はコアネットワークを表し、ＮＲ  ＢＳは、ニューラット基地局（New Rat Base Station）を表す。この配置モードは、分散ネットワークアーキテクチャと呼ばれる。図２は、従来技術による、ＣＵとＤＵとが異なるネットワーク機器に配置されたネットワークアーキテクチャを示す図である。図２に示すように、この配置モードは、集中型ネットワークアーキテクチャと呼ばれる。ＣＵは、ユーザ中心の設計概念を満たし、無線ネットワークの集中制御及び管理機能を担当し、ユーザ端末のためのトラフィックアンカーポイントとして動作できる。ＤＵは、リモートアクセスユニットであり、無線周波数機能及び部分処理機能を含む。ＣＵとＤＵとの間のインタフェースは、フロントホール（fronthaul）と呼ばれることがあり、フロントホールの特定の分割位置（すなわち、ユーザプレーン上で分割が行われる位置）は、現在標準化が進められている。
【０００４】
また、５Ｇにおいて大容量化の目標を達成するためには、高周波帯域と広帯域幅を採用する必要がある。高周波帯域は、その伝搬特性のために、カバレッジが小さい傾向がある。したがって、大規模な多入力多出力（multiple-input-multiple-output：ＭＭ）を実現するには、幾つかの技術的手段が必要である。ビームフォーミング技術を採用することによって、ＭＭのリンク性能を大幅に改善でき、したがって、カバレッジ及び容量を自然に向上させることができる。ＭＭは、現代の無線通信システムの伝送速度を増加させるための効果的な手法と考えられており、５Ｇ通信システムのカバレッジ範囲及び容量を改善するための重要な技術である。５Ｇ技術報告書（technology report：ＴＲ）３８．９１３には、様々なシナリオが含まれており、ＭＭで使用されるアンテナ数は、最大２５６に達する可能性がある。ＭＭによるビームフォーミング技術の採用により、ビーム管理に対する需要が生じている。このうち、ビームの切替及びビーム下の移動度は、全て考慮すべき課題である。
【０００５】
同時に、従来のセルラーネットワークの「汎用型（one-size-fits-all）」ネットワークアーキテクチャは、専用のサポートとＩＴシステムを備えており、トラフィック及びトラフィック成長を予測でき、単一サービスタイプのユーザネットワークに非常に適している。しかしながら、この垂直型アーキテクチャでは、通信事業者が電気通信ネットワークを拡張し、変化するユーザニーズに応じて新しいユースケースのニーズを調整し、満足させることは困難である。したがって、５Ｇ時代には、従来のセルラーネットワークと「汎用型」方式を調整して、無数のユースケース、多数のユーザタイプ、及び様々なアプリケーションの使用をサポートする必要がある。
【０００６】
５Ｇシステムでは、ネットワークは、更にネットワークスライスに抽象化される。このような接続サービスは、多くのカスタムソフトウェアによって実装されている機能によって定義される。ソフトウェア機能は、地理的なカバレッジエリア、期間、容量、速度、遅延、信頼性、セキュリティ、可用性等を含む。ネットワークスライスは、一連の機能の集合体と解釈できる。例えば、電力会社は、スマートメータのための接続を提供する必要がある。この要件は、一連のマシンツーマシン（machine-to-machine：Ｍ２Ｍ）デバイスを接続するネットワークスライスに適用される。ネットワークスライスは、一定の遅延があり、データレートは、指定された時間にステータスの更新とダウンロードを完了するのに十分である。但し、このサービスには、高レベルのセキュリティ、高い可用性、及び高い信頼性が必要である。また、電力会社は、故障センサのための接続を提供する必要がある場合もある。このようなサービスを提供するネットワークスライスは、一日を通してシステム内の全てのＭ２Ｍデバイスからステータスメトリックを受信する可能性があり、高可用性と高耐久性を備えた純粋なデータカバレッジを必要とし、中程度のセキュリティおよびそれなりの遅延を有する。同時に、ユースケースに基づいて接続サービスを提供するネットワークスライスは、より高いレベルのセキュリティ又はゼロに近い遅延の達成等、様々なネットワーク機能を有するように構成できる。
【０００７】
現在のところ、５Ｇシステム又はｅＬＴＥシステムにおけるグラウンドインタフェース（ground interface）の共通処理を実行する方法が存在しないという問題に対する有効な解決策は存在しない。
【０００８】
［サマリー］
各実施形態は、少なくとも従来技術では、５Ｇシステム又はｅＬＴＥシステムにおけるグラウンドインタフェースの共通処理を実施するための方法が存在していないという問題を解決するために、共通処理を実施するための方法、装置及びシステムを提供する。
【０００９】
一実施形態は、共通処理を実施する方法を提供し、
前記方法は、基地局によって、第１要求メッセージをコアネットワーク（ＣＮ）デバイスに送信することを含んでもよく、
前記第１要求メッセージは、前記基地局が属する無線アクセスネットワーク（ＲＡＮ）とＣＮとの間の第１インタフェースの確立を要求するために使用され、
前記第１要求メッセージは、ロケーションエリア情報、前記基地局がサポートする公共陸上移動体通信ネットワーク（ＰＬＭＮ）の情報、及び前記基地局の基地局タイプ情報のうちの少なくとも１つを搬送し、
前記ロケーションエリア情報は、ユーザ機器（ＵＥ）をページングするように構成された特定の地理的エリアを指し、
前記方法は、前記ＣＮデバイスが送信した第１応答メッセージを、前記基地局によって受信することを含んでもよく、
前記第１応答メッセージは、前記第１インタフェースが正常に確立されたことを示すために使用される。
【００１０】
更に、一実施形態は、共通処理を実施する、別の方法を提供し、
前記方法は、基地局が送信した第１要求メッセージを、コアネットワーク（ＣＮ）デバイスによって受信することを含み、
前記第１要求メッセージは、前記基地局が属する無線アクセスネットワーク（ＲＡＮ）とＣＮとの間の第１インタフェースの確立を要求するために使用され、
前記第１要求メッセージは、ロケーションエリア情報、前記基地局がサポートする公共陸上移動体通信ネットワーク（ＰＬＭＮ）の情報、及び前記基地局の基地局タイプ情報のうちの少なくとも１つを搬送し、
前記ロケーションエリア情報は、ユーザ機器（ＵＥ）をページングするように構成された特定の地理的エリアを指し、
前記方法は、前記ＣＮデバイスによって、第１応答メッセージを前記基地局に送信することを含み、
前記第１応答メッセージは、前記第１インタフェースが正常に確立されたことを示すために使用される。
【００１１】
更に、一実施形態は、基地局に適用される共通処理を実施する装置を提供し、
前記装置は、ＣＮデバイスに第１要求メッセージを送信するように構成された第１送信モジュールを含み、
前記第１要求メッセージは、前記基地局が属するＲＡＮとＣＮとの間の第１インタフェースの確立を要求するために使用され、
前記第１要求メッセージは、ロケーションエリア情報、前記基地局がサポートするＰＬＭＮの情報、及び前記基地局の基地局タイプ情報のうちの少なくとも１つを搬送し、
前記ロケーションエリア情報は、ＵＥをページングするように構成された特定の地理的エリアを指し、
前記装置は、前記ＣＮデバイスが送信した第１応答メッセージを受信するように構成された第１受信モジュールを含み、
前記第１応答メッセージは、前記第１インタフェースが正常に確立されたことを示すために使用される。
【００１２】
更に、一実施形態は、共通処理を実施する装置を提供し、前記装置はコアネットワーク（ＣＮ）デバイスに適用され、
前記装置は、基地局が送信した第１要求メッセージを受信するように構成された第２受信モジュールを含んでもよく、
前記第１要求メッセージは、前記基地局が属するＲＡＮとＣＮとの間の第１インタフェースの確立を要求するために使用され、
前記第１要求メッセージは、ロケーションエリア情報、前記基地局がサポートするＰＬＭＮの情報、及び前記基地局の基地局タイプ情報のうちの少なくとも１つを搬送し、
前記ロケーションエリア情報は、ＵＥをページングするように構成された特定の地理的エリアを指し、
前記装置は、第１応答メッセージを前記基地局に送信するように構成されている第２送信モジュールを含んでもよく、
前記第１応答メッセージは、前記第１インタフェースが正常に確立されたことを示すために使用される。
【００１３】
更に、一実施形態は、共通処理を実施するシステムを提供し、前記システムは、基地局とコアネットワーク（ＣＮ）デバイスとを含んでもよい。
前記基地局は、第１要求メッセージを前記ＣＮデバイスに送信する。
前記第１要求メッセージは、前記基地局が属する無線アクセスネットワークとＣＮとの間の第１インタフェースの確立を要求するために使用され、
前記第１要求メッセージは、ロケーションエリア情報、前記基地局がサポートするＰＬＭＮの情報、及び前記基地局の基地局タイプ情報のうちの少なくとも１つを搬送する。
前記ロケーションエリア情報は、ＵＥをページングするように構成された特定の地理的エリアを指す。
前記ＣＮデバイスは、前記第１要求メッセージを受信し、第１応答メッセージを前記基地局に送信する。
前記第１応答メッセージは、前記第１インタフェースが正常に確立されたことを示すために使用される。
前記基地局は、前記ＣＮデバイスが送信した第１応答メッセージを受信する。
【００１４】
更に、一実施形態は、共通処理を実施する方法を提供し、
前記方法は、第１基地局によって、第２要求メッセージを第２基地局に送信することを含んでもよく、
前記第２要求メッセージは、前記第１基地局と前記第２基地局との間の第２インタフェースの確立を要求するために使用され、
前記第２要求メッセージは、前記第１基地局の配下のセル、ビーム構成情報、前記第１基地局がサポートする公共陸上移動体通信ネットワーク（ＰＬＭＮ）の情報、無線アクセスネットワーク（ＲＡＮ）アーキテクチャ情報、及び前記基地局に接続されたコアネットワーク（ＣＮ）の情報のうちの少なくとも１つを搬送し、
前記ＣＮの情報は、ＣＮセット情報、ＣＮクラウドセット識別情報、及び前記第１基地局の基地局タイプ情報のうちの少なくとも１つを含み、
前記方法は、前記第１基地局によって、前記第２基地局が送信した第２応答メッセージを受信することを含んでもよく、
前記第２応答メッセージは、前記第２インタフェースが正常に確立されたことを示すために使用される。
【００１５】
更に、一実施形態は、共通処理を実施する装置を提供し、前記装置は第１基地局に適用され、
前記装置は、第２要求メッセージを第２基地局に送信するように構成された第３送信モジュールを含んでもよく、
前記第２要求メッセージは、前記第１基地局と前記第２基地局との間の第２インタフェースの確立を要求するために使用され、
前記第２要求メッセージは、前記第１基地局の配下のセル、ビーム構成情報、前記第１基地局がサポートするＰＬＭＮの情報、ＲＡＮアーキテクチャ情報、及び前記基地局に接続されたＣＮの情報のうちの少なくとも１つを搬送し、
前記ＣＮの情報は、ＣＮセット情報、ＣＮクラウドセット識別情報、及び前記第１基地局の基地局タイプ情報のうちの少なくとも１つを含み、
前記装置は、前記第２基地局が送信した第２応答メッセージを受信するように構成された第３受信モジュールを含んでもよく、
前記第２応答メッセージは、前記第２インタフェースが正常に確立されたことを示すために使用される。
【００１６】
更に、一実施形態は、上述のいずれかの方法を実行するためのコンピュータ実行可能命令を格納するコンピュータ可読記憶媒体を提供する。
【００１７】
一実施形態は、更に、１つ又は複数のプロセッサと、メモリと、１つ又は複数のプログラムとを含む基地局を提供する。メモリに格納されている１つ又は複数のプログラムは、１つ又は複数のプロセッサによって実行されると、上述の共通処理を実施するための対応する方法を実行する。
【００１８】
一実施形態は、更に、１つ又は複数のプロセッサと、メモリと、１つ又は複数のプログラムとを含むＣＮデバイスを提供する。メモリに格納されている１つ又は複数のプログラムは、１つ又は複数のプロセッサによって実行されると、上述の共通処理を実施するための対応する方法を実行する。
【００１９】
一実施形態は、更に、非一時的コンピュータ可読記憶媒体に格納されたコンピュータプログラムを含むコンピュータプログラム製品を提供する。コンピュータプログラムは、コンピュータによって実行されると、コンピュータに上述の方法のうちのいずれかを実行させるプログラム命令を含む。
【００２０】
基地局とＣＮとの間のインタフェースを確立する処理において、基地局とＣＮとの間のインタラクション情報は、５Ｇシステム又はｅＬＴＥシステムに適用可能なアプリケーション層パラメータを搬送する。共通処理は、上述のパラメータに従って設計され、５Ｇシステム又はｅＬＴＥシステムにおけるグラウンドインタフェースの共通処理を実行する方法がないという従来の問題を解決し、５Ｇシステム又はｅＬＴＥシステムの新しい要件及び変化に適応する。
【図面の簡単な説明】
【００２１】
【図１】従来技術に基づき、ＣＵとＤＵが同一のネットワークデバイスに配置されたネットワークアーキテクチャを示す図である。
【図２】従来技術に基づき、ＣＵとＤＵが異なるネットワークデバイスに配置されたネットワークアーキテクチャを示す図である。
【図３】実施形態１に基づく共通処理を実施する方法のフローチャート１である。
【図４】実施形態１に基づく共通処理を実施する方法のフローチャート２である。
【図５】実施形態１に基づく共通処理を実施する方法のフローチャート３である。
【図６】実施形態１における実施例１に基づく方法のフローチャートである。
【図７】実施形態１における実施例２に基づく方法のフローチャートである。
【図８】実施形態１における実施例３に基づく方法のフローチャートである。
【図９】実施形態１における実施例４に基づく方法のフローチャートである。
【図１０】実施形態１における実施例５に基づく方法のフローチャートである。
【図１１】実施形態１における実施例６に基づく方法のフローチャートである。
【図１２】実施形態２に基づき、基地局に適用される共通処理を実施するための装置の構造ブロック図である。
【図１３】実施形態２に基づき、コアネットワーク（ＣＮ）に適用される共通処理を実施するための装置の構造ブロック図である。
【図１４】実施形態２に基づき、第１基地局に適用される共通処理を実施するための装置の構造ブロック図である。
【図１５】実施形態４に基づく基地局の構成図である。
【図１６】実施形態４に基づくＣＮデバイスの構成図である。
【発明を実施するための形態】
【００２２】
本開示の明細書、特許請求の範囲、及び上記の図面における「第１」、「第２」等の用語は、類似の対象を区別するために使用され、必ずしも特定の順序又は順番を意味しない。
【００２３】
本開示の実施形態は、５Ｇシステム又はｅＬＴＥシステムに適用できる。
【００２４】
実施形態１
この実施形態は、上記のネットワークアーキテクチャ上で動作し、共通処理を実施するための方法を提供する。図３は、この実施形態に基づく共通処理の実施方法のフローチャート１を示している。図３に示すように、この処理は、以下のステップを含む。
【００２５】
Ｓ３０２において、基地局は、第１要求メッセージをコアネットワーク（ＣＮ）デバイスに送信する。第１要求メッセージは、基地局が属する無線アクセスネットワーク（ＲＡＮ）とＣＮとの間のインタフェースである第１インタフェースの確立を要求するために使用され、第１要求メッセージは、ロケーションエリア情報、基地局がサポートする公共陸上移動体通信ネットワーク（public land mobile network：ＰＬＭＮ）の情報、及び基地局の基地局タイプ情報のうちの少なくとも１つを搬送する。ロケーションエリア情報は、ユーザ機器（ＵＥ）をページングするために構成された特定の地理的エリアを指す。
【００２６】
Ｓ３０４において、基地局は、ＣＮデバイスが送信した第１応答メッセージを受信し、ここで、第１応答メッセージは、第１インタフェースが正常に確立されたことを示すために使用される。
【００２７】
以上のステップにより、５Ｇシステム又はｅＬＴＥシステムにおいてグラウンドインタフェースの共通処理を実施する方法がないという従来の課題が解決され、５Ｇシステム又はｅＬＴＥシステムの新しい要求と変化に適応できる。
【００２８】
あるいは、第１応答メッセージは、ＣＮの構成情報、ＣＮがサポートするネットワークスライスの情報、及びＣＮ内の各タイプのスライスグループの許容負荷容量情報のうちの少なくとも１つを搬送する。
【００２９】
ＵＥは、スライスグループの許容負荷容量情報に従ってＣＮ内のネットワークスライスを選択し、そのネットワークスライスの許容負荷容量情報をＵＥのテキストコンテンツの構成要素として使用する。
【００３０】
あるいは、ＣＮの構成情報は、ＣＮセット識別子、ＣＮデバイスの番号、ＰＬＭＮ情報、及びＣＮクラウドセット識別情報のうちの少なくとも１つを含む。
【００３１】
あるいは、基地局は、ＣＮデバイスが送信した第１応答メッセージを受信した後、第１更新メッセージをＣＮデバイスに送信し、この第１更新メッセージは、基地局の構成情報を更新するようにＣＮデバイスに命令するために使用される。
【００３２】
そして、基地局は、第１更新メッセージに対する、ＣＮデバイスが送信する第１確認メッセージを受信する。
【００３３】
あるいは、第１更新メッセージは、ロケーションエリア情報及び公共陸上移動体通信ネットワーク（ＰＬＭＮ）情報のうちの少なくとも１つを搬送する。
【００３４】
本開示において、同じ名称は、同じ用途を有する。以下では、特に明記しない限り、上に説明したメッセージは、本開示において同じ意味を表すと見なされる。
【００３５】
あるいは、基地局は、ＣＮデバイスが送信した第１応答メッセージを受信した後、ＣＮデバイスが送信した過負荷開始（overload start）メッセージ又は過負荷停止（overload stop）メッセージを受信する。過負荷開始メッセージは、ＣＮが過負荷であることを示すために使用され、過負荷停止メッセージは、過負荷動作が停止されることを示すために使用される。
【００３６】
あるいは、過負荷開始メッセージは、ＣＮのスライスが過負荷であること、又は指定されたＰＬＭＮの配下のＣＮのスライスが過負荷であることを示すためのスライス過負荷メッセージを搬送する。
【００３７】
あるいは、ＣＮによって送信され、基地局によって受信される過負荷開始メッセージは、過負荷制御動作情報を含むことができ、ここで、過負荷制御動作情報は、アクセスを拒否するＣＮのスライスを示すための拒否情報を含むことができる。
【００３８】
図４は、この実施形態に基づく共通処理を実施する方法のフローチャート２を示している。図４に示すように、この処理は、以下のステップを含む。
【００３９】
Ｓ４０２において、コアネットワーク（ＣＮ）デバイスは、基地局が送信した第１要求メッセージを受信し、ここで、第１要求メッセージは、第１インタフェースの確立を要求するために使用される。第１インタフェースは、基地局が属する無線アクセスネットワーク（ＲＡＮ）とＣＮとの間のインタフェースであり、第１要求メッセージは、ロケーションエリア情報、基地局がサポートする公共陸上移動体通信ネットワーク（ＰＬＭＮ）の情報、及び基地局の基地局タイプ情報のうちの少なくとも１つを搬送し、ここで、ロケーションエリア情報は、ユーザ機器（ＵＥ）をページングするために構成された特定の地理的エリアを指す。
【００４０】
Ｓ４０４において、ＣＮデバイスは、第１応答メッセージを基地局に送信し、ここで、第１応答メッセージは、第１インタフェースが正常に確立されたことを示すために使用される。
【００４１】
あるいは、基地局が送信した第１要求メッセージをコアネットワーク（ＣＮ）デバイスが受信した後に、ＣＮデバイスは、ユーザ機器（ＵＥ）が送信した第１命令情報を受信し、ここで、第１命令情報は、ＣＮデバイスにＵＥのトラフィックパターンを選択するように命令するために使用される。
【００４２】
あるいは、第１応答メッセージは、ＣＮの構成情報、ＣＮがサポートするネットワークスライスの情報、及びＣＮ内の各タイプのスライスグループの許容負荷容量情報のうちの少なくとも１つを搬送する。ユーザ機器（ＵＥ）は、ネットワークスライスの許容負荷容量情報に従ってＣＮ内のネットワークスライスを選択し、ＵＥのテキストコンテンツの構成要素としてスライスの許容負荷容量情報を使用する。
【００４３】
あるいは、ＣＮの構成情報は、ＣＮセット識別子、ＣＮデバイスの番号、ＰＬＭＮ情報、及びＣＮクラウドセット識別情報のうちの少なくとも１つを含む。
【００４４】
あるいは、ＣＮデバイスが第１応答メッセージを基地局に送信した後に、この方法は、更に、ＣＮデバイスが第２更新メッセージを基地局に送信することを含む。第２更新メッセージは、ＣＮデバイスの構成情報を更新するように基地局に命令するために使用される。、また、この方法は、更に、第２更新メッセージについて基地局が送信した第２確認メッセージをＣＮデバイスが受信することを含む。
【００４５】
あるいは、第２更新メッセージは、ＣＮの構成情報、ＣＮがサポートするネットワークスライスの情報、及びＣＮ内の各タイプのスライスグループの許容負荷容量情報のうちの少なくとも１つを搬送する。ＣＮの構成情報は、ＣＮセット識別子、ＣＮデバイスの番号、ＰＬＭＮ情報、及びＣＮクラウドセット識別情報のうちの少なくとも１つを含む。ユーザ機器（ＵＥ）は、ネットワークスライスの許容負荷容量情報に従ってＣＮ内のネットワークスライスを選択し、ネットワークスライスの許容負荷容量情報をＵＥのテキストコンテンツの構成要素として使用する。
【００４６】
あるいは、ＣＮデバイスが第１応答メッセージを基地局に送信した後、ＣＮデバイスは、過負荷開始メッセージ又は過負荷停止メッセージを基地局に送信する。過負荷開始メッセージは、ＣＮが過負荷であることを示すために使用され、過負荷停止メッセージは、過負荷動作が停止されることを示すために使用される。
【００４７】
あるいは、過負荷開始メッセージは、ＣＮのスライスが過負荷であること、又は指定されたＰＬＭＮの配下のＣＮのスライスが過負荷であることを示すためのスライス過負荷メッセージを搬送する。
【００４８】
あるいは、ＣＮによって基地局に送信される過負荷開始メッセージは、過負荷制御動作情報を含むことができ、過負荷制御動作情報は、アクセスを拒否するＣＮのスライスを示すための拒否情報を含むことができる。
【００４９】
図５は、この実施形態に基づく共通処理を実施する方法のフローチャート３を示している。図５に示すように、この処理は、以下のステップを含む。
【００５０】
Ｓ５０２において、第１基地局は、第２要求メッセージを第２基地局に送信し、ここで、第２要求メッセージは、第２インタフェースの確立を要求するために使用される。第２インタフェースは、第１基地局と第２基地局との間のインタフェースであり、第２要求メッセージは、第１基地局の配下のセル、ビーム構成情報、第１基地局がサポートするＰＬＭＮの情報、無線アクセスネットワーク（ＲＡＮ）アーキテクチャ情報、基地局に接続されたコアネットワーク（ＣＮ）の情報、及び第１基地局の基地局タイプ情報のうちの少なくとも１つを搬送する。ＣＮの情報は、ＣＮセット情報及びＣＮのクラウドグループ識別情報のうちの少なくとも１つを含む。
【００５１】
Ｓ５０４において、第１基地局は、第２基地局が送信した第２応答メッセージを受信し、ここで、第２応答メッセージは、第２インタフェースが正常に確立されたことを示すために使用される。
【００５２】
図５に示す手順は、基地局と他の基地局との間で行われ、これらの基地局は、通信システムにおける無線アクセスネットワーク（ＲＡＮ）に属する。図３又は図４のステップにより、ＲＡＮとコアネットワーク（ＣＮ）との間にインタフェースが確立されており、これにより、グラウンドインタフェースの共通処理の一部が実施される。図５は、グラウンドインタフェースの共通処理を実施する他の部分、すなわち、ＲＡＮ内でのインタフェース確立処理を示している。
【００５３】
あるいは、ＲＡＮアーキテクチャ情報が集中型ネットワークアーキテクチャを示す場合、ＲＡＮアーキテクチャ情報は、無線中央ユニット（wireless center unit：ＣＵ）−無線分散ユニット（wireless distributed unit：ＤＵ）の階層化モード情報を含むことができる。
【００５４】
あるいは、第２基地局が送信した第２応答メッセージを第１基地局が受信した後に、第１基地局は、第３更新メッセージを第２基地局に送信し、ここで、第３更新メッセージは、第１基地局の構成情報を更新するように第２基地局に命令するために使用され、第１基地局は、第３更新メッセージに対応する、第２基地局が送信した第２確認メッセージを受信する。
【００５５】
あるいは、第３更新メッセージは、第１基地局の構成情報が更新された後の第１基地局の配下のセル、第１基地局の構成情報が更新された後のビーム構成情報、第１基地局のＲＡＮアーキテクチャ情報、第１基地局に接続されているＣＮの情報、及び第１基地局の基地局タイプ情報のうちの少なくとも１つを搬送する。
【００５６】
この実施形態では、５Ｇシステムにおけるグラウンドインタフェースの共通処理の確立を例にして本開示を説明する。
【００５７】
この実施形態は、以下に説明するように、グラウンドインタフェース共通処理を実施するための方法を提供する。説明の便宜上、５Ｇ  ＲＡＮと５Ｇ  ＣＮとの間のインタフェースを第１インタフェース（すなわち、基地局とＣＮとの間のインタフェース）と呼び、５Ｇ  ＲＡＮと５Ｇ  ＲＡＮノードとの間のインタフェースを第２インタフェース（すなわち、基地局と基地局との間のインタフェース）と呼ぶ。
【００５８】
１）ＲＡＮとＣＮとの間のインタフェース（第１インタフェース）の共通処理を実施する方法
【００５９】
５Ｇシステム内の第１インタフェースがサポートする共通処理は、以下に限定されるものではないが、以下に記載する処理を含むことができる。
【００６０】
第１インタフェースの確立処理は、
インタフェース確立要求メッセージ（ＲＡＮ内の基地局によってＣＮに送信され、上記の実施形態における第１要求メッセージと同等である）、インタフェース確立応答メッセージ（ＣＮによって基地局に送信され、上記の実施形態における第１応答メッセージと同等である）、及びインタフェース確立失敗メッセージ（ＣＮによって基地局に送信される）を含む。
【００６１】
第１インタフェース確立要求メッセージは、５Ｇ基地局がサポートするロケーションエリアの情報、及び５Ｇ基地局がサポートする全てのＰＬＭＮの情報を含むことができる。ＵＥがアイドル状態にあるとき、ＣＮは、ＵＥが位置するロケーションエリアを知ることができ、これを用いて、アイドル状態にあるＵＥをページングできる。
【００６２】
第１インタフェース確立要求メッセージは、ｅＬＴＥ基地局又はＮＲ（この実施形態では、５Ｇシステムと呼ばれる）基地局等の基地局タイプ情報を含むことができ、５Ｇ  ＣＮには、基地局タイプ情報が通知される。コアネットワークの配下に接続された基地局の数は、非常に多くなる可能性があるため、基地局に関連する構成情報は、運用管理及び保守（operation administration and maintenance：ＯＡＭ）を介して実施することが困難である。この情報は、第１インタフェース確立要求メッセージで搬送してもよく、又はＵＥ関連シグナリングを介して搬送してもよく、例えば、初期の直接転送メッセージで搬送してもよく、ＵＥが現在アクセスしているシステムのタイプを示す。ＣＮは、この情報を用いて、ＵＥのタイプに従ってＵＥに適切なトラフィックパターンを選択できる。
【００６３】
第１インタフェース確立応答メッセージは、５Ｇ  ＣＮ構成情報（例えば、５Ｇ  ＣＮセット識別子、デバイス番号、及びＰＬＭＮ情報のうちの少なくとも１つ）を含むことができる。５Ｇ  ＣＮがクラウド化されている場合、５Ｇ  ＣＮ構成情報は、更に、クラウドグループ識別情報を搬送できる。
【００６４】
第１インタフェース確立応答メッセージは、５Ｇ  ＣＮのネットワークスライスに関する情報を含むことができ、ＣＮがサポートする幾つかのスライスの識別子（ＩＤ）が、インタフェース確立応答メッセージで基地局に配信される。あるいは、インタフェース確立応答メッセージは、ＣＮ内の各タイプのスライスグループの許容負荷容量情報を更に搬送してもよい。ＵＥは、ＣＮにアクセスするときに、この情報を使用して、許容負荷容量情報に従ってコアネットワークスライスを選択してもよく、この情報は、ＵＥのテキストコンテンツの一部と見なされる。
【００６５】
第１インタフェースが確立された後、基地局の構成を更新する必要がある場合には、基地局とＣＮとの間のインタラクションは、以下に説明する処理を通じて完了でき、基地局構成更新処理は、基地局構成更新メッセージ（基地局によってＣＮに送信され、上記の実施形態における第１更新メッセージと同等である）、基地局構成更新確認メッセージ（ＣＮによって基地局に送信され、上記の実施形態における第１確認メッセージと同等である）、及び基地局構成更新失敗メッセージ（ＣＮによって基地局に送信される）を含むことができる。
【００６６】
第１インタフェースのための基地局構成更新メッセージは、更新された５Ｇ基地局がサポートしているロケーションエリアの情報、及び５Ｇ基地局が現在サポートしている全てのＰＬＭＮの情報を含むことができる。ＵＥがアイドル状態にあるとき、ＣＮは、ＵＥが位置するロケーションエリアを知ることができ、これを用いて、アイドル状態にあるＵＥをページングできる。
【００６７】
第１インタフェースが確立された後、ＣＮデバイスの構成を更新する必要がある場合、ＣＮと基地局との間のインタラクションは、以下に説明する処理を介して完了でき、ＣＮ構成更新処理は、ＣＮ構成更新メッセージ（ＣＮによって基地局に送信され、上記の実施形態における第２更新メッセージと同等である）、ＣＮ構成更新確認メッセージ（基地局によってＣＮに送信され、上記の実施形態における第２確認メッセージと同等である）、及びＣＮ構成更新失敗メッセージ（基地局によってＣＮに送信される）を含むことができる。
【００６８】
第１インタフェースのＣＮ構成更新メッセージは、更新された５Ｇ  ＣＮ構成情報（例えば、５Ｇ  ＣＮセット識別子、デバイス番号、及びＰＬＭＮ情報のうちの少なくとも１つ）を含むことができる。５Ｇ  ＣＮがクラウド化されている場合、５Ｇ  ＣＮ構成情報は、クラウドグループ識別情報を搬送できる。
【００６９】
第１インタフェースのＣＮ構成更新メッセージは、更新された５Ｇ  ＣＮのネットワークスライスに関する情報を含むことができ、ＣＮがサポートする幾つかのスライスのＩＤは、ＣＮ構成更新メッセージ内で基地局に配信される。あるいは、ＣＮ構成更新メッセージは、ＣＮ内の各タイプのスライスグループの許容負荷容量情報を更に搬送できる。
【００７０】
第１インタフェースが確立された後、ＣＮによる過負荷管理の処理は、過負荷開始メッセージ（ＣＮによって基地局に送信される）及び過負荷停止メッセージ（ＣＮによって基地局に送信される）を含む。
【００７１】
過負荷開始メッセージでは、スライスの過負荷管理を実施でき、異なるスライスの過負荷コマンド又は異なるＰＬＭＮの配下の異なるスライスの過負荷コマンドを配信できる。同時に、過負荷制御動作は、コアネットワークのスライスへのアクセスが拒否されたことを基地局に通知できる。
【００７２】
２）ＲＡＮとＲＡＮの間のインタフェース（第２インタフェース）の共通処理を実施する方法
【００７３】
５Ｇシステム内の第１インタフェースがサポートする共通処理は、以下に限定されるものではないが、以下に記載する処理を含むことができる。
【００７４】
第２インタフェース（すなわち、基地局と基地局との間の第２インタフェース）の確立処理は、第２インタフェース確立要求メッセージ（ＲＡＮノード１によってＲＡＮノード２に送信され、上記の実施形態における第２要求メッセージと同等であり、上記の実施形態では、ＲＡＮ内のノードは、基地局である）、第２インタフェース確立応答メッセージ（ＲＡＮノード２によってＲＡＮノード１に送信され、上記の実施形態における第２応答メッセージと同等である）、及び第２インタフェース確立失敗メッセージ（ＲＡＮノード２によってＲＡＮノード１に送信される）を含む。
【００７５】
第２インタフェース確立要求メッセージは、５Ｇ基地局の配下の全サービングセル及びビーム構成情報のうちの少なくとも１つを含むことができ、例えば、高周波セルの特性情報（周波数ビン及び帯域幅等）を含むことができ、更に、セルがサポートするＰＬＭＮのリスト情報を含むことができる。
【００７６】
第２インタフェース確立要求メッセージは、更に、集中型アーキテクチャ又は分散型アーキテクチャ等のＲＡＮアーキテクチャ情報を含むことができる。ＲＡＮアーキテクチャが集中型である場合、第２インタフェース確立要求メッセージは、ＣＵ−ＤＵ階層化モード情報を更に提供でき、これは、基地局がＵＥのためのハンドオーバターゲットを選択するときの判断要素として使用できる。
【００７７】
第２インタフェース確立要求メッセージは、更に、５Ｇ基地局が属するコアネットワークの情報（例えば、基地局が属するコアネットワークグループの情報、又はクラウドグループＩＤ等）を含むことができ、これを用いて、モバイルタイプを判定し、例えば、第１インタフェースに基づいてハンドオーバを開始し、又は第２インタフェースに基づいてハンドオーバを開始することができる。
【００７８】
第２インタフェース確立要求メッセージは、更に、基地局又はセルのタイプ情報（例えば、ＬＴＥ、ｅＬＴＥ、又は５Ｇ  ＮＲ等）を含むことができる。
【００７９】
基地局間の第２インタフェースが確立された後、基地局の構成を更新する必要がある場合、基地局構成更新処理は、基地局構成更新メッセージ（ＲＡＮノード１からＲＡＮノード２へのメッセージであり、上記の実施形態における第３更新メッセージと同等である）、基地局構成更新確認メッセージ（ＲＡＮノード２からＲＡＮノード１へのメッセージであり、上記実施形態における第３確認メッセージと同等である）、及び基地局構成更新失敗メッセージ（ＲＡＮノード２からＲＡＮノード１へのメッセージ）を含むことができる。
【００８０】
第２インタフェースの基地局構成更新メッセージは、更新後の基地局の配下のサービングセル及びビーム構成情報のうちの少なくとも１つを含むことができ、例えば、基地局の配下の１つ又は複数のサービングセル、及びビームの追加、削除、又は修正を実行するための情報を含むことができる。
【００８１】
第２インタフェースの基地局構成更新メッセージは、更に、更新後の基地局のＲＡＮアーキテクチャ情報、基地局が属するコアネットワークの情報、及び基地局又はセルのタイプ情報のうちの少なくとも１つを含むことができる。
【００８２】
上述の方法は、ｅＬＴＥシステムにも適用される。ＲＡＮノードは、ｅＬＴＥ基地局であってもよく、ＣＮノードは、モビリティ管理エンティティ（mobility management entity：ＭＭＥ）又は５Ｇ  ＣＮであってもよい。この場合、ｅＬＴＥ基地局と５Ｇ  ＣＮ又はＭＭＥとの間のインタフェースが第１インタフェースであってもよく、ｅＬＴＥ基地局と５Ｇ基地局又はｅＬＴＥ基地局との間のインタフェースが第２インタフェースであってもよい。
【００８３】
以下では、６つのサブ実施形態として、実施例１〜６を示し、５Ｇグラウンドインタフェースの共通処理を実施する方法を説明する。
【００８４】
まず、実施例１の処理について説明する。
【００８５】
１）第１インタフェースの確立処理は、インタフェース確立要求メッセージ（基地局によってＣＮへ送信される）、インタフェース確立応答メッセージ（ＣＮによって基地局へ送信される）、及びインタフェース確立失敗メッセージ（ＣＮによって基地局へ送信される）を含む。
【００８６】
図６は、実施例１に基づく方法のフローチャートである。図６に示すように、この方法は、以下のステップを含む。
【００８７】
Ｓ６０１において、５Ｇ基地局は、第１インタフェース確立要求メッセージを５Ｇ  ＣＮに送信する。
【００８８】
第１インタフェース確立要求メッセージは、５Ｇ基地局がサポートするロケーションエリアの情報、及び５Ｇ基地局がサポートする全てのＰＬＭＮの情報を含むことができる。ＵＥがアイドル状態にあるとき、ＣＮは、ＵＥが位置するロケーションエリアを知ることができ、これを用いて、アイドル状態にあるＵＥをページングできる。ロケーションエリアは、５Ｇネットワーク側によって設定してもよい。第１インタフェース確立要求メッセージは、更に、基地局タイプ情報（ｅＬＴＥ基地局又はＮＲ基地局等）を含むことができ、これにより、５Ｇ  ＣＮに基地局タイプ情報が通知される。ＭＭＥに接続されている基地局の数は、非常に多くなる可能性があるため、基地局に関連する構成情報は、ＯＡＭを介して実施することが困難である。この情報は、第１インタフェース確立要求メッセージで搬送してもよく、又はＵＥ関連シグナリングを介して搬送してもよい。例えば、このメッセージは、初期の直接転送メッセージで搬送され、ＵＥが現在アクセスしているシステムのタイプを示す。ＣＮは、この情報を用いて、ＵＥのタイプに従ってＵＥに適切なトラフィックパターンを選択できる。
【００８９】
Ｓ６０２において、処理が成功した場合、５Ｇ  ＣＮは、第１インタフェース確立応答メッセージを５Ｇ基地局に送信し、処理が失敗した場合、Ｓ６０３を実行する。
【００９０】
第１インタフェース確立応答メッセージは、５Ｇ  ＣＮ構成情報（例えば、５Ｇ  ＣＮセット識別子、デバイス番号、及びＰＬＭＮ情報のうちの少なくとも１つ）を含むことができる。５Ｇ  ＣＮがクラウド化されている場合、５Ｇ  ＣＮ構成情報は、更に、クラウドグループ識別情報を含むことができる。第１インタフェース確立応答メッセージは、５Ｇ  ＣＮのネットワークスライスに関する情報を含むことができる。例えば、ＣＮがサポートするスライスのＩＤが、インタフェース確立応答メッセージで基地局に配信される。
【００９１】
あるいは、上述の第１インタフェース確立応答メッセージは、更に、ＣＮ内の各タイプのスライスグループの許容負荷容量情報を搬送できる。ＵＥは、ＣＮにアクセスするときに、この許容負荷容量情報を使用して、コアネットワークスライスを選択してもよく、この許容負荷容量情報は、ＵＥのテキストコンテンツの一部と見なされる。例えば、ＵＥが基地局にアクセスするとき、基地局は、ＵＥのタイプ、トラフィックのタイプ、スライスに関する負荷容量情報、等に従って、ＵＥに適したコアネットワークスライスを選択できる。
【００９２】
Ｓ６０３において、５Ｇ  ＣＮは、第１インタフェース確立失敗メッセージを５Ｇ基地局に送信し、ここで、このメッセージは、失敗原因、待ち時間、等を含むことができる。
【００９３】
以下、実施例２の処理について説明する。
【００９４】
２）基地局構成更新処理は、基地局構成更新メッセージ（基地局によってＣＮに送信される）、基地局構成更新確認メッセージ（ＣＮによって基地局に送信される）、及び基地局構成更新失敗メッセージ（ＣＮによって基地局に送信される）を含むことができる。
【００９５】
図７は、実施例２に基づく方法のフローチャートである。図７に示すように、この方法は、以下のステップを含む。
【００９６】
Ｓ７０１において、５Ｇ基地局は、基地局構成更新メッセージを５Ｇ  ＣＮに送信する。
【００９７】
第１インタフェースの基地局構成更新メッセージは、更新された５Ｇ基地局がサポートしているロケーションエリアの情報、及び現在の５Ｇ基地局がサポートしている全てのＰＬＭＮの情報を含むことができる。ＵＥがアイドル状態にあるとき、ＣＮは、ＵＥが位置しているロケーションエリアを知ることができ、このロケーションエリアを用いて、アイドル状態にあるＵＥをページングできる。
【００９８】
Ｓ７０２において、処理が成功した場合、５Ｇ  ＣＮは、基地局構成更新確認メッセージを５Ｇ基地局に送信する。その他の場合、Ｓ７０３が実行される。
【００９９】
Ｓ７０３において、５Ｇ  ＣＮは、基地局構成更新失敗メッセージを５Ｇ基地局に送信する。
【０１００】
以下、実施例３の処理について説明する。
【０１０１】
３）ＣＮ構成更新は、ＣＮ構成更新メッセージ（ＣＮによって基地局に送信される）、ＣＮ構成更新確認メッセージ（基地局によってＣＮに送信される）、及びＣＮ構成更新失敗メッセージ（基地局によってＣＮに送信される）を含む。
【０１０２】
図８は、実施例３に基づく方法のフローチャートである。図８に示すように、この方法は、以下のステップを含む。
【０１０３】
Ｓ８０１において、５Ｇ  ＣＮは、ＣＮ構成更新メッセージ（すなわち第１インタフェースのＣＮ構成更新メッセージ）を５Ｇ基地局に送信する。
【０１０４】
第１インタフェースのＣＮ構成更新メッセージは、更新された５Ｇ  ＣＮ構成情報（例えば、５Ｇ  ＣＮセット識別子、デバイス番号、及びＰＬＭＮ情報、等）を含むことができる。５Ｇ  ＣＮがクラウド化されている場合、５Ｇ  ＣＮ構成情報は、更に、クラウドグループ識別情報を含むことができる。第１インタフェースのＣＮ構成更新メッセージは、更に、更新された５Ｇ  ＣＮのネットワークスライスに関する情報を含むことができ、コアネットワークがサポートする複数のスライスＩＤが、インタフェース確立応答メッセージに追加され、基地局に配信されてもよい。
【０１０５】
あるいは、第１インタフェースのＣＮ構成更新メッセージは、更に、ＣＮ内の各タイプのスライスグループの許容負荷容量情報を搬送できる。ＵＥは、ＣＮにアクセスするときに、この情報を使用して、コアネットワークスライスを選択してもよく、この情報は、ＵＥのテキストコンテンツの一部と見なされる。例えば、ＵＥが基地局にアクセスするとき、基地局は、ＵＥのタイプ、トラフィックのタイプ、スライスに関する負荷容量情報等に従って、ＵＥに適したコアネットワークスライスを選択できる。
【０１０６】
Ｓ８０２において、処理が成功した場合、５Ｇ基地局は、ＣＮ構成更新確認メッセージを５Ｇ  ＣＮに送信する。その他の場合、Ｓ８０３が実行される。
【０１０７】
Ｓ８０３において、５Ｇ基地局は、ＣＮ構成更新失敗メッセージを５Ｇ  ＣＮに送信する。
【０１０８】
以下、実施例４の処理について説明する。
【０１０９】
４）ＣＮ過負荷管理は、過負荷開始メッセージ（ＣＮによって基地局に送信される）及び過負荷停止メッセージ（ＣＮによって基地局に送信される）を含むことができる。
【０１１０】
図９は、実施例４に基づく方法のフローチャートである。図９に示すように、この方法は、以下のステップを含む。
【０１１１】
Ｓ９０１において、５Ｇ  ＣＮが過負荷になると、５Ｇ  ＣＮは、過負荷開始メッセージを５Ｇ基地局に送信する。
【０１１２】
第１インタフェースの過負荷開始メッセージでは、スライスの過負荷管理を実施でき、異なるスライスの過負荷コマンド、又は異なるＰＬＭＮの配下の異なるスライスの過負荷コマンドを配信できる。同時に、過負荷制御動作は、スライス関連ユーザのアクセスを拒否するように基地局に命令できる。あるいは、５Ｇ基地局は、過負荷開始メッセージを受信した後、過負荷開始メッセージで搬送された情報に従って、現在の過負荷制御動作が直前の過負荷動作挙動を上書きするかどうかを決定してもよい。例えば、基地局が同一スライスに対する新たな過負荷動作命令を受信した場合、直前の過負荷動作命令を上書きして新たな過負荷動作命令を直接実行できる。同様に、過負荷停止動作についても同じ規則を採用できる。
【０１１３】
Ｓ９０２において、５Ｇ  ＣＮが過負荷動作を停止する必要がある場合、５Ｇ  ＣＮは、過負荷停止メッセージを５Ｇ基地局に送信する。
【０１１４】
以下、実施例５の処理について説明する。
【０１１５】
５）第２インタフェースの確立処理は、インタフェース確立要求メッセージ（ＲＡＮノード１からＲＡＮノード２へ）インタフェース確立応答メッセージ（ＲＡＮノード２からＲＡＮノード１へ）、及びインタフェース確立失敗メッセージ（ＲＡＮノード２からＲＡＮノード１へ）を含むことができる。
【０１１６】
図１０は、実施例５に基づく方法のフローチャートである。図１０に示すように、この方法は、以下のステップを含む。
【０１１７】
Ｓ１００１において、５Ｇ基地局１は、第２インタフェース確立要求メッセージを５Ｇ基地局２に送信する。
【０１１８】
第２インタフェース確立要求メッセージは、５Ｇ基地局１の配下の全てのサービングセル及びビーム構成情報のうちの少なくとも１つ（例えば、高周波セルの特性情報（セル識別情報、周波数ビン及び帯域幅、等））を含むことができる。ビーム情報が含まれる場合、ビーム情報は、ビームＩＤ、ビーム有効範囲、及び単一セル内のビーム数、のうちの１つ以上を含む。ビーム情報は、更に、セル又はビームがサポートするＰＬＭＮのリスト情報を含むことができる。
【０１１９】
第２インタフェース確立要求メッセージは、更に、５Ｇ基地局１のＲＡＮアーキテクチャ情報（集中型又は分散型アーキテクチャ情報等）を含むことができる。ＲＡＮアーキテクチャが集中型である場合、第２インタフェース確立要求メッセージは、更に、ＣＵ−ＤＵ階層化モード情報を含むことができ、これは、基地局がＵＥのためのハンドオーバターゲットを選択するときの判断要素として使用できる。第２インタフェース確立要求メッセージは、更に、５Ｇ基地局１が属するコアネットワークの情報（例えば、基地局が属するコアネットワークグループの情報、又はクラウドグループＩＤ）を含んでもよく、これを用いて、モバイルタイプを判定し、例えば、第１インタフェースに基づいてハンドオーバを開始し、又は、第２インタフェースに基づいてハンドオーバを開始することができる。
【０１２０】
第２インタフェース確立要求メッセージは、更に、５Ｇ基地局１又はセルのタイプ情報（例えば、ＬＴＥ、ｅＬＴＥ、又は５Ｇ  ＮＲ等）を含むことができ、更に、５Ｇ基地局１がサポートする５Ｇ  ＣＮのネットワークスライスに関する情報（例えば、５Ｇ  ＣＮの１つ又は複数のネットワークスライスのＩＤ情報等）を含むことができる。端末上でモビリティ判定を実行する際には、これを用いて、ネットワークスライスをサポートする端末に対して適切なターゲット基地局を選択できる。
【０１２１】
Ｓ１００２において、処理が成功した場合、５Ｇ基地局２は、第２インタフェース確立応答メッセージを５Ｇ基地局１に送信する。その他の場合、Ｓ１００３が実行される。
【０１２２】
第２インタフェース確立応答メッセージは、５Ｇ基地局２の配下の全てのサービングセル及びビーム構成情報の少なくとも１つを含むことができ、例えば、セル識別情報、周波数ビン及び帯域幅等を含むことができる。ビーム構成情報が第２インタフェース確立応答メッセージに含まれる場合、ビーム構成情報は、ビームＩＤ、ビーム有効範囲、及び単一セル内のビーム数、のうちの１つ又は複数を含む。第２インタフェース確立応答メッセージは、更に、セル又はビームがサポートするＰＬＭＮのリスト情報を含むことができる。第２インタフェース確立要求メッセージは、更に、集中型又は分散型アーキテクチャ情報等、５Ｇ基地局２のＲＡＮアーキテクチャ情報を含むことができる。ＲＡＮアーキテクチャが集中型である場合、第２インタフェース確立応答メッセージは、ＣＵ−ＤＵ階層化モード情報を含むことができ、これは、基地局がＵＥのためのハンドオーバターゲットを選択するときの判断要素として使用できる。
【０１２３】
第２インタフェース確立要求メッセージは、更に、５Ｇ基地局２が属するコアネットワークの情報（例えば、基地局が属するコアネットワークグループの情報又はクラウドグループＩＤ等）を含むことができ、これを用いて、モバイルタイプを判定し、例えば、第１インタフェースに基づいてハンドオーバを開始し、又は、第２インタフェースに基づいてハンドオーバを開始することができる。第２インタフェース確立要求メッセージは、更に、５Ｇ基地局２又はセルのタイプ情報（例えば、ＬＴＥ、ｅＬＴＥ、又は５Ｇ  ＮＲ等）を含むことができる。オプションとして、第２インタフェース確立応答メッセージは、更に、５Ｇ基地局２がサポートする５Ｇ  ＣＮのネットワークスライスに関する情報（例えば、５Ｇ  ＣＮの、１つ又は複数のネットワークスライスのＩＤ情報等）を含むことができる。端末上でモビリティ判定を実行する際には、これを用いて、ネットワークスライスをサポートする端末に対して適切なターゲット基地局を選択できる。
【０１２４】
Ｓ１００３において、処理が失敗した場合、５Ｇ基地局２は、第２インタフェース確立失敗メッセージを５Ｇ基地局１に送信する。この構成更新失敗メッセージは、確立が失敗した理由、待ち時間、等を含むことができる。
【０１２５】
以下、実施例６の処理について説明する。
【０１２６】
６）基地局構成更新処理は、基地局構成更新メッセージ（ＲＡＮノード１からＲＡＮノード２へ）、基地局構成更新確認メッセージ（ＲＡＮノード２からＲＡＮノード１へ）、及び基地局構成更新失敗メッセージ（ＲＡＮノード２からＲＡＮノード１へ）を含むことができる。
【０１２７】
図１１は、実施例６に基づく方法のフローチャートである。図１１に示すように、この方法は、以下のステップを含む。
【０１２８】
Ｓ１１０１において、５Ｇ基地局１は、基地局構成更新メッセージを５Ｇ基地局２に送信する。
【０１２９】
第２インタフェースの基地局構成更新メッセージは、更新後の基地局の配下のサービングセル及びビーム構成情報のうちの少なくとも１つを含むことができ、例えば、基地局の配下の１つ又は複数のサービングセル、及びビームの追加、削除、又は修正を実行するための情報を含むことができる。第２インタフェースの基地局構成更新メッセージは、更に、更新された基地局のＲＡＮアーキテクチャ情報、基地局が属するコアネットワークの情報、基地局又はセルのタイプ情報、及び基地局がサポートする５Ｇ  ＣＮのネットワークスライスに関する情報のうちの少なくとも１つを更に含むことができる。
【０１３０】
Ｓ１１０２において、処理が成功した場合、５Ｇ基地局２は、基地局構成更新確認メッセージを５Ｇ基地局１に送信する。その他の場合、ステップＳ１１０３が実行される。
【０１３１】
Ｓ１１０３において、処理が失敗した場合、５Ｇ基地局２は、基地局構成更新失敗メッセージを５Ｇ基地局１に送信する。構成更新失敗メッセージは、確立が失敗した理由、待ち時間、等を含むことができる。
【０１３２】
以上が６つのサブ実施形態の説明である。これらの実施例によって提供される５Ｇグラウンドインタフェースの共通処理を実施するための方法を採用することによって、５Ｇシステムの新しい要件を満たし、新しい機能に対応することができ、５ＧシステムにおけるＲＡＮとＣＮとの間のインタフェース（第１インタフェース）及びＲＡＮとＲＡＮとの間のインタフェース（第２インタフェース）の管理が実現され、これによって、５Ｇシステムにおける共通処理の基本要件が満たされる。
【０１３３】
実施形態２
この実施形態は、共通処理を実施するための装置を提供する。この装置は、上述の実施形態が提供する方法のうちのいずれか１つを実行してもよい。これらの詳細については繰り返さない。
【０１３４】
図１２は、この実施形態に基づき、基地局に適用される共通処理を実施するための装置の構造ブロック図である。図１２に示すように、この装置は、第１送信モジュール１２２と第１受信モジュール１２４とを含むことができる。
【０１３５】
第１送信モジュール１２２は、第１要求メッセージをコアネットワーク（ＣＮ）デバイスに送信するように構成されている。
【０１３６】
第１要求メッセージは、第１インタフェースの確立を要求するために使用される。第１インタフェースは、基地局が属する無線アクセスネットワーク（ＲＡＮ）とＣＮとの間のインタフェースであり、第１要求メッセージは、ロケーションエリア情報、基地局がサポートする公共陸上移動体通信ネットワーク（ＰＬＭＮ）の情報、及び基地局の基地局タイプ情報のうちの少なくとも１つを搬送する。ロケーションエリア情報は、ＵＥをページングするために構成された特定の地理的エリアを指す。
【０１３７】
第１受信モジュール１２４は、第１送信モジュール１２２に接続され、ＣＮデバイスが送信した第１応答メッセージを受信するように構成されており、第１応答メッセージは、第１インタフェースが正常に確立されたことを示すために使用される。
【０１３８】
あるいは、第１応答メッセージは、ＣＮの構成情報、ＣＮがサポートするネットワークスライスの情報、及びＣＮ内の各タイプのスライスグループの許容負荷容量情報のうちの少なくとも１つを搬送する。ユーザ機器（ＵＥ）は、ネットワークスライスの許容負荷容量情報に従ってＣＮ内のネットワークスライスを選択し、ＵＥのテキストコンテンツの構成要素としてスライスの許容負荷容量情報を使用する。
【０１３９】
あるいは、ＣＮの構成情報は、ＣＮセット識別子、ＣＮデバイスの番号、ＰＬＭＮ情報、及びＣＮクラウドセット識別情報のうちの少なくとも１つを含む。
【０１４０】
あるいは、ＣＮデバイスが送信した第１応答メッセージを第１受信モジュール１２４が受信した後、基地局は、第１更新メッセージをＣＮデバイスに送信するように更に構成され、この第１更新メッセージは、基地局の構成情報を更新するようにＣＮデバイスに命令するために使用される。そして、基地局は、第１更新メッセージに対する、ＣＮデバイスが送信する第１確認メッセージを受信する。
【０１４１】
あるいは、第１更新メッセージは、ロケーションエリア情報及び公共陸上移動体通信ネットワーク（ＰＬＭＮ）情報のうちの少なくとも１つを搬送する。
【０１４２】
あるいは、第１受信モジュール１２４は、ＣＮデバイスが送信した第１応答メッセージを受信した後、ＣＮデバイスが送信した過負荷開始メッセージ又は過負荷停止メッセージを受信するように更に構成されてもよい。過負荷開始メッセージは、ＣＮが過負荷であることを示すために使用され、過負荷停止メッセージは、過負荷動作が停止されることを示すために使用される。
【０１４３】
あるいは、過負荷開始メッセージは、ＣＮのスライスが過負荷であること、又は指定されたＰＬＭＮの配下のＣＮのスライスが過負荷であることを示すためのスライス過負荷メッセージを搬送する。
【０１４４】
あるいは、ＣＮが送信し、基地局が受信する過負荷開始メッセージは、過負荷制御動作情報を含むことができる。過負荷制御動作情報は、アクセスを拒否するＣＮのスライスを示すための拒否情報を含むことができる。
【０１４５】
図１３は、この実施形態による、コアネットワーク（ＣＮ）デバイスに適用される、共通処理を実施するための装置の構造ブロック図である。図１３に示すように、この装置は、第２受信モジュール１３２と第２送信モジュール１３４とを含むことができる。
【０１４６】
第２受信モジュール１３２は、基地局が送信した第１要求メッセージを受信するように構成されている。
【０１４７】
第１要求メッセージは、第１インタフェースの確立を要求するために使用される。第１インタフェースは、基地局が属する無線アクセスネットワーク（ＲＡＮ）とＣＮとの間のインタフェースであり、第１要求メッセージは、ロケーションエリア情報、基地局がサポートする公共陸上移動体通信ネットワーク（ＰＬＭＮ）の情報、及び基地局の基地局タイプ情報のうちの少なくとも１つを搬送する。ロケーションエリア情報は、ＵＥをページングするために構成された特定の地理的エリアを指す。
【０１４８】
第２送信モジュール１３４は、第２受信モジュール１３２に接続されており、第１応答メッセージを基地局に送信するように構成されている。第１応答メッセージは、第１インタフェースが正常に確立されたことを示すために使用される。
【０１４９】
あるいは、第２受信モジュール１３２は、基地局が送信した第１要求メッセージをＣＮデバイスが受信した後、更に、ユーザ機器（ＵＥ）が送信した第１命令情報を受信するように構成される。第１命令情報は、ＵＥのためのトラフィックパターンをＣＮデバイスが選択するよう、ＣＮデバイスに命令するために使用される。
【０１５０】
あるいは、第１応答メッセージは、ＣＮの構成情報、ＣＮがサポートするネットワークスライスの情報、及びＣＮ内の各タイプのスライスグループの許容負荷容量情報のうちの少なくとも１つを搬送する。
【０１５１】
ＵＥは、ネットワークスライスの許容負荷容量情報に従ってＣＮ内のネットワークスライスを選択し、ＵＥのテキストコンテンツの構成要素としてスライスの許容負荷容量情報を使用する。
【０１５２】
あるいは、ＣＮの構成情報は、ＣＮセット識別子、ＣＮデバイスの番号、ＰＬＭＮ情報、及びＣＮクラウドセット識別情報のうちの少なくとも１つを含む。
【０１５３】
あるいは、第２送信モジュール１３４は、更に、第２更新メッセージを基地局に送信し、第２更新メッセージに関する、基地局が送信する第２確認メッセージを受信するように構成されている。第２更新メッセージは、ＣＮデバイスの構成情報を更新するように基地局に命令するために使用される。
【０１５４】
第２更新メッセージは、ＣＮの構成情報、ＣＮがサポートするネットワークスライスの情報、及びＣＮ内の各タイプのスライスグループの許容負荷容量情報のうちの少なくとも１つを搬送する。
【０１５５】
ＣＮの構成情報は、ＣＮセット識別子、ＣＮデバイスの番号、ＰＬＭＮ情報、及びＣＮクラウドセット識別情報のうちの少なくとも１つを含む。
【０１５６】
ＵＥは、ネットワークスライスの許容負荷容量情報に従ってＣＮ内のネットワークスライスを選択し、ＵＥのテキストコンテンツの構成要素としてスライスの許容負荷容量情報を使用する。
【０１５７】
あるいは、ＣＮデバイスが第１応答メッセージを基地局に送信した後、第２送信モジュール１３４は、更に、過負荷開始メッセージ又は過負荷停止メッセージを基地局に送信するように構成されている。過負荷開始メッセージは、ＣＮが過負荷であることを示すために使用され、過負荷停止メッセージは、過負荷動作が停止されることを示すために使用される。
【０１５８】
あるいは、過負荷開始メッセージは、ＣＮのスライスが過負荷であること、又は指定されたＰＬＭＮの配下のＣＮのスライスが過負荷であることを示すためのスライス過負荷メッセージを搬送する。
【０１５９】
あるいは、ＣＮデバイスが基地局に送信する過負荷開始メッセージは、過負荷制御動作情報を含むことができる。過負荷制御動作情報は、アクセスを拒否するＣＮのスライスを示すための拒否情報を含むことができる。
【０１６０】
図１４は、この実施形態に基づき、第１基地局に適用される共通処理を実施するための装置の構造ブロック図である。図１４に示すように、この装置は、第３送信モジュール１４２と第３受信モジュール１４４とを含むことができる。
【０１６１】
第３送信モジュール１４２は、第２要求メッセージを第２基地局に送信するように構成されている。
【０１６２】
第２要求メッセージは、第２インタフェースの確立を要求するために使用される。第２インタフェースは、第１基地局と第２基地局との間のインタフェースであり、第２要求メッセージは、第１基地局の配下のセル、ビーム構成情報、第１基地局がサポートするＰＬＭＮの情報、ＲＡＮアーキテクチャ情報、基地局に接続されたコアネットワーク（ＣＮ）の情報、第１基地局の基地局タイプ情報のうちの少なくとも１つを搬送する。ＣＮの情報は、ＣＮセット情報とＣＮクラウドセット識別情報のうちの少なくとも１つを含む。
【０１６３】
第３受信モジュール１４４は、第２基地局が送信した第２応答メッセージを受信するように構成されている。第２応答メッセージは、第２インタフェースが正常に確立されたことを示すために使用される。
【０１６４】
あるいは、ＲＡＮアーキテクチャが集中型ネットワークアーキテクチャである場合、ＲＡＮアーキテクチャ情報は、無線中央ユニット（ＣＵ）−無線分散ユニット（ＤＵ）の階層化モード情報を含むことができる。
【０１６５】
あるいは、第２基地局が送信した第２応答メッセージを受信した後に、第３受信モジュール１４４は、更に、第３更新メッセージを第２基地局に送信し、第３更新メッセージに対する、第２基地局が送信する第３確認メッセージを受信するように構成される。第３更新メッセージは、第１基地局の構成情報を更新するように第２基地局に命令するために使用される。
【０１６６】
あるいは、第３更新メッセージは、第１基地局が更新された後の第１基地局の配下のセル、ビーム構成情報、第１基地局のＲＡＮアーキテクチャ情報、第１基地局に接続されているＣＮの情報、及び第１基地局の基地局タイプ情報のうちの少なくとも１つを搬送する。
【０１６７】
実施形態３
この実施形態は、共通処理を実施するためのシステムを提供する。このシステムは、基地局とＣＮデバイスとを含むことができる。
【０１６８】
基地局は、ＣＮデバイスに第１要求メッセージを送信し、ここで第１要求メッセージは、第１インタフェースの確立を要求するために使用される。第１要求メッセージは、基地局が属する無線アクセスネットワーク（ＲＡＮ）とＣＮとの間のインタフェースであり、第１要求メッセージは、ロケーションエリア情報、基地局がサポートするＰＬＭＮの情報、及び基地局の基地局タイプ情報のうちの少なくとも１つを搬送する。ロケーションエリア情報は、ＵＥをページングするために構成された特定の地理的エリアを指す。
【０１６９】
ＣＮデバイスは、第１要求メッセージを受信し、第１応答メッセージを基地局に送信する。第１応答メッセージは、第１インタフェースが正常に確立されたことを示すために使用される。
【０１７０】
基地局は、ＣＮデバイスが送信した第１応答メッセージを受信する。
【０１７１】
あるいは、第１応答メッセージは、ＣＮの構成情報、ＣＮがサポートするネットワークスライスの情報、及びＣＮ内の各タイプのスライスグループの許容負荷容量情報のうちの少なくとも１つを搬送する。ＵＥは、ネットワークスライスの許容負荷容量情報に従ってＣＮ内のネットワークスライスを選択し、ＵＥのテキストコンテンツの構成要素としてスライスの許容負荷容量情報を使用する。
【０１７２】
あるいは、ＣＮの構成情報は、ＣＮセット識別子、ＣＮデバイスの番号、ＰＬＭＮ情報、及びＣＮクラウドセット識別情報のうちの１つを含む。
【０１７３】
実施形態４
この実施形態は、記憶媒体を提供する。あるいは、この実施形態では、記憶媒体は、以下で説明するステップを実行するためのプログラムコードを格納するように構成してもよい。
【０１７４】
Ｓ１において、基地局は、ＣＮデバイスに第１要求メッセージを送信する。第１要求メッセージは、第１インタフェースの確立を要求するために使用される。第１インタフェースは、基地局が属する無線アクセスネットワーク（ＲＡＮ）とＣＮとの間のインタフェースであり、第１要求メッセージは、ロケーションエリア情報、基地局がサポートするＰＬＭＮの情報、及び基地局の基地局タイプ情報のうちの少なくとも１つを搬送する。ロケーションエリア情報は、ＵＥをページングするために構成された特定の地理的エリアを指す。
【０１７５】
Ｓ２において、基地局は、ＣＮデバイスが送信した第１応答メッセージを受信する。第１応答メッセージは、第１インタフェースが正常に確立されたことを示すために使用される。
【０１７６】
あるいは、記憶媒体は、更に、以下に説明するステップを実行するためのプログラムコードを格納するように構成してもよい。
【０１７７】
Ｓ３において、第１基地局は、第２要求メッセージを第２基地局に送信する。
【０１７８】
第２要求メッセージは、第２インタフェースの確立を要求するために使用される。第２インタフェースは、第１基地局と第２基地局との間のインタフェースであり、第２要求メッセージは、第１基地局の配下のセル、ビーム構成情報、第１基地局がサポートしているＰＬＭＮの情報、ＲＡＮアーキテクチャ情報、基地局に接続されているＣＮの情報、第１基地局の基地局タイプ情報のうちの少なくとも１つを搬送する。ＣＮの情報は、ＣＮセット情報及びＣＮクラウドセット識別情報のうちの少なくとも１つを含む。
【０１７９】
Ｓ４において、第１基地局は、第２基地局が送信した第２応答メッセージを受信する。第２応答メッセージは、第２インタフェースが正常に確立されたことを示すために使用される。
【０１８０】
あるいは、この実施形態では、上述の記憶媒体は、以下に限定されるものではないが、ＵＳＢフラッシュディスク、読出専用メモリ（read-only memory：ＲＯＭ）、ランダムアクセスメモリ（random access memory：ＲＡＭ）、モバイルハードディスク、磁気ディスク、光ディスク、又はプログラムコードを格納できるその他の媒体を含むことができる。
【０１８１】
あるいは、この実施形態では、プロセッサは、記憶媒体に格納されたプログラムコードに従って上記の各実施形態の方法ステップを実行する。
【０１８２】
あるいは、この実施形態では、先に各実施形態において説明した任意の方法を参照してもよく、その詳細は、ここでは繰り返さない。
【０１８３】
ある実施形態は、更に、上述の方法のうちのいずれか１つを実行するためのコンピュータ実行可能命令を格納するコンピュータ可読記憶媒体を提供する。
【０１８４】
ある実施形態は、更に、基地局を提供する。図１５は、この実施形態に基づく基地局の構成図である。図１５に示すように、基地局は、プロセッサ１５２とメモリ１５４を含み、更に通信インタフェース１５６とバス１５８を含むことができる。
【０１８５】
プロセッサ１５２、メモリ１５４、及び通信インタフェース１５６は、バス１５８を介して互いに通信できる。通信インタフェース１５６は、情報送信に使用してもよい。プロセッサ１５２は、メモリ１５４内の論理命令を呼び出して、上述の各実施形態の方法のうちのいずれか１つを実行できる。
【０１８６】
メモリ１５４は、プログラム格納領域とデータ格納領域とを含むことができる。プログラム格納領域は、少なくとも１つの機能に必要なオペレーティングシステム及びアプリケーションプログラムを格納してもよく、データ格納領域は、基地局の使用に従って生成されたデータを格納してもよい。更に、メモリは、揮発性メモリ（ランダムアクセスメモリ（ＲＡＭ）等）を含むことができ、また、不揮発性メモリ（少なくとも１つのディスクメモリ、フラッシュメモリ、又は他の不揮発性固体メモリ等）も含むことができる。
【０１８７】
更に、メモリ１５４内の論理命令は、ソフトウェア機能ユニットの形式で実施でき、独立した製品として販売又は使用されるときには、コンピュータ可読記憶媒体に格納できる。本開示の技術的解決策は、ソフトウェア製品（記憶媒体に格納されてもよく、各実施形態で説明した方法のステップの全部又は一部をコンピュータデバイス（パーソナルコンピュータ、サーバ、ネットワークデバイス等であってもよい）が実行できるようにする１つ又は複数の命令を含む）の形式で実施してもよい。
【０１８８】
一実施形態は、更に、ＣＮデバイスを提供する。図１６は、この実施形態に基づくＣＮデバイスの構成図である。図１６に示すように、ＣＮデバイスは、プロセッサ１６２とメモリ１６４を含み、更に通信インタフェース１６６とバス１６８を含むことができる。
【０１８９】
プロセッサ１６２、メモリ１６４、及び通信インタフェース１６６は、バス１６８を介して互いに通信できる。通信インタフェース１６６は、情報送信に使用してもよい。プロセッサ１６２は、メモリ１６４内の論理命令を呼び出して、上述の実施形態の方法のうちのいずれか１つを実行できる。
【０１９０】
メモリ１６４は、プログラム格納領域とデータ格納領域とを含む。プログラム格納領域は、少なくとも１つの機能に必要なオペレーティングシステムとアプリケーションプログラムを格納してもよく、データ格納領域は、ＣＮデバイスの使用によって生成されたデータを格納してもよい。更に、メモリは、揮発性メモリ（ランダムアクセスメモリ（ＲＡＭ）等）を含むことができ、また、不揮発性メモリ（少なくとも１つのディスクメモリ、フラッシュメモリ、又は他の不揮発性固体メモリ等）も含むことができる。
【０１９１】
更に、メモリ１６４内の論理命令は、ソフトウェア機能ユニットの形で実施でき、独立した製品として販売又は使用されるときには、コンピュータ可読記憶媒体に格納できる。本開示の技術的解決策は、ソフトウェア製品（記憶媒体に格納されてもよく、各実施形態で説明した方法のステップの全部又は一部をコンピュータデバイス（パーソナルコンピュータ、サーバ、ネットワークデバイス等であってもよい）が実行できるようにする１つ又は複数の命令を含む）の形式で実施してもよい。
【０１９２】
記憶媒体は、非一時的な記憶媒体であっても一時的な記憶媒体であってもよい。非一時的記憶媒体は、ＵＳＢフラッシュディスク、モバイルハードディスク、読出専用メモリ（ＲＯＭ）、ランダムアクセスメモリ（ＲＡＭ）、磁気ディスク、光ディスク、又はプログラムコードを格納できる他の媒体を含むことができる。
【０１９３】
上述の実施形態の方法における処理の全部又は一部は、コンピュータプログラムにより命令を受ける関連ハードウェアにより実施してもよい。これらのプログラムは、非一時的コンピュータ可読記憶媒体に格納でき、実行されると、上述の各実施形態における方法の処理を含むことができる。
【図１】
2019526209.tif 000003
【図２】
2019526209.tif 000004
【図３】
2019526209.tif 000005
【図４】
2019526209.tif 000006
【図５】
2019526209.tif 000007
【図６】
2019526209.tif 000008
【図７】
2019526209.tif 000009
【図８】
2019526209.tif 000010
【図９】
2019526209.tif 000011
【図１０】
2019526209.tif 000012
【図１１】
2019526209.tif 000013
【図１２】
2019526209.tif 000014
【図１３】
2019526209.tif 000015
【図１４】
2019526209.tif 000016
【図１５】
2019526209.tif 000017
【図１６】
2019526209.tif 000018
【国際調査報告】
2019526209.tif 000019
2019526209.tif 000020
2019526209.tif 000021
2019526209.tif 000022